(57)【要約】      （修正有）【課題】製氷板から落下した未氷結水、除氷水が氷案内部で跳ねた飛翔水を有効に捕捉でき、貯氷庫において氷塊の再氷結による氷のアーチングや、未氷結水の回収損失のない流下式製氷機を提供する。【解決手段】製氷板からの落下水(未氷結水、除氷水)を受け止めるための水カーテン３６を形成するデフレクタ３４において、落下水の集中し易い個所に突出リブ４０を設け、水カーテン３６の流れを安定させ、飛翔水を補足し損ねることをなくした。さらにデフレクタのない機種では、製氷水の供給経路から分岐させた分流パイプを設け、分流パイプにより噴出した水で水カーテンを形成し、飛翔水を安定して補足できるようにした。【選択図】図１
2020012571.tif 000002
【特許請求の範囲】
【請求項１】
蒸発器(EP)を一対の製氷板(16,16)で挟んでなる製氷部(15)を複数列立設した製氷ユニット(14)と、
前記製氷部(15)の上方に配設され、各製氷板(16)に供給した製氷水または除氷水を製氷面に流下させる散水部(20)と、
前記製氷部(15)の下方に配設され、前記製氷板(16,16)から落下する未氷結の製氷水または除氷水を回収して貯留する製氷水タンク(18)と、
前記製氷部(15)の斜め下方に配設され、前記製氷板(16,16)から落下する氷塊(17)を回収する貯氷庫(12)と、
前記製氷水タンク(18)と前記製氷板(16,16)の下方との間に配設され、該製氷板(16,16)から落下する氷塊(17)を前記貯氷庫(12)へ案内すると共に、該製氷板(16,16)から落下する水は該製氷水タンク(18)へ落下させる氷案内部(28)と、
前記製氷部(15)の下方と前記氷案内部(28)との間に配設され、前記製氷板(16,16)から落下する氷塊(17)を該氷案内部(28)へ偏向させると共に、
該製氷板(16,16)から落下する水を前記氷案内部(28)へ流して水カーテン(36)を形成するデフレクタ(34)とからなる流下式製氷機において、
前記デフレクタ(34)の部位で、かつ前記製氷板(16,16)から落下する水が集中し易い領域に突出リブ(40)が形成されている
ことを特徴とする流下式製氷機。
【請求項２】
前記突出リブ(40)は、前記製氷板(16,16)から落下する水が集中する経路の上流に位置すると共に、前記水が乗り越えられない高さに設定した分流リブ(40a)である請求項１記載の流下式製氷機。
【請求項３】
前記突出リブ(40)は、前記製氷板(16,16)から落下する水の流量が多い経路の上流に位置すると共に、前記水が乗り越え得る高さに設定した止水リブ(40b)である請求項１記載の流下式製氷機。
【請求項４】
前記突出リブ(40)は、前記製氷板(16,16)から落下する水が集中する経路の上流に位置すると共に、前記水が乗り越え得る高さに設定した案内リブ(40c)である請求項１記載の流下式製氷機。
【請求項５】
蒸発器(EP)を一対の製氷板(16,16)で挟んでなる製氷部(15)を複数列立設した製氷ユニット(14)と、
前記製氷部(15)の上方に配設され、各製氷板(16)に供給した製氷水または除氷水を製氷面に流下させる散水部(20)と、
前記製氷部(15)の下方に配設され、前記製氷板(16,16)から落下する未氷結の製氷水または除氷水を回収して貯留する製氷水タンク(18)と、
前記製氷部(15)の斜め下方に配設され、前記製氷板(16,16)から落下する氷塊(17)を回収する貯氷庫(12)と、
前記製氷水タンク(18)と前記製氷板(16,16)の下方との間に配設され、該製氷板(16,16)から落下する氷塊(17)を前記貯氷庫(12)へ案内すると共に、該製氷板(16,16)から落下する水は該製氷水タンク(18)へ落下させる氷案内部(28)と、
前記製氷水タンク(18)の製氷水を製氷水ポンプ(PM)により前記散水部(20)へ循環供給する水供給管(21)とからなる流下式製氷機において、
前記水供給管(21)から分岐されて前記氷案内部(28)の斜め上方に水平に配設され、前記製氷水タンク(18)からの製氷水を多数の通孔(42a)を介して噴出させて該氷案内部(28)の上方に水カーテン(36)を形成する分流パイプ(42)を設けた
ことを特徴とする流下式製氷機。
【請求項６】
除氷運転中は、前記複数列の製氷部(15)の内で前記分流パイプ(42)に最も近い側の列の製氷部(15)への除氷水の供給を停止する請求項５記載の流下式製氷機。
【発明の詳細な説明】
【技術分野】
【０００１】
この発明は流下式製氷機に関し、更に詳しくは、流下式製氷機の製氷板から落下した水が氷案内部で跳ねて飛翔し、その飛翔水が貯氷庫へ飛び込んで庫内の氷塊群を再氷結させてしまう不具合を解決した発明に関するものである。
【背景技術】
【０００２】
大量の氷塊を自動的に製造する製氷機が、レストランや喫茶店等の各種施設で広く使用されている。この製氷機は、求められる氷の形状に対応する製氷構造の差により、例えばクローズドセル式、オーガ式、流下式等の機種が存在する。本発明は、製氷板の上方から製氷水を流下供給することで、冷却された製氷板の表面に多数の氷塊を成長させる流下式製氷機の改良に関するものである。そこで、流下式製氷機の概略構成を先に説明する。
【０００３】
図１６に示す流下式製氷機１０は、氷塊１７を製造する製氷ユニット１４と、この製氷ユニット１４を冷却する冷凍回路３０とを備え、前記製氷ユニット１４で形成されて落下した氷塊１７は、隣接配置された貯氷庫１２に貯留される。前記製氷ユニット１４は、縦方向に対向配置した一対の製氷板(製氷部)１６,１６と、両製氷板１６,１６の下方に設けられて製氷水を貯留すると共に、両製氷板１６,１６から流下する未氷結の製氷水(未氷結水という)や除氷水を回収する製氷水タンク１８とを備えている。前記製氷板１６,１６は、前記冷凍回路３０から導出した蒸発器ＥＰを両製氷板の間に密着配置している。更に製氷ユニット１４の上方には、各製氷板１６の表面(製氷面)へ製氷水タンク１８からの製氷水を供給する散水部(製氷水供給手段)２０と、該製氷板１６の製氷面と反対側の面(裏面)に除氷水を供給する除氷水供給手段２４とが配設されている。なお、本明細書の図面に示す製氷ユニット１４では、一対の製氷板１６,１６からなる製氷部１５が所要間隔で３列立設されており、右側列の製氷部１５の製氷板１６,１６は、他の製氷部１５における製氷板１６,１６よりも下方寸法が短くなっている。
【０００４】
前記製氷水タンク１８は上部が開口しており、その上部開口は各製氷部１５を構成する製氷板１６,１６の直下に位置している。そして両製氷板１６,１６から流下する未氷結水および除氷水は前記製氷水タンク１８に回収貯留されて、製氷運転時に製氷水として使用される。また、製氷水タンク１８の上方には、除氷運転に際して両製氷板１６,１６から落下した氷を貯氷庫１２に案内する氷案内部２８が配置されている。この氷案内部２８の各傾斜面には、図１１〜図１６に示すように多数のスリット２８ａが開設されているので、該氷案内部２８に落下した未氷結水と除氷水とはスリット２８ａを介して製氷水タンク１８に回収される。また、前記製氷板１６,１６から落下した氷塊１７は氷案内部２８に衝突して偏向され、前記貯氷庫１２に向けて放出される。
【０００５】
前記散水部２０は、夫々の製氷部１５における製氷板１６,１６の上方に設けられ、製氷面に製氷水を散布し得る製氷水散水器２２と、水供給管２１を介して該製氷水散水器２２に製氷水タンク１８から製氷水を圧送する製氷水ポンプＰＭとから構成される。この散水部２０は、製氷運転時に製氷水ポンプＰＭが駆動されると、製氷水タンク１８からの製氷水を製氷水散水器２２を介して各製氷板１６(の製氷面)に散布供給する。また除氷運転時には、製氷水ポンプＰＭを停止して製氷部１５への製氷水の供給を停止する。前記除氷水供給手段２４は、製氷水散水器２２の下方に位置すると共に両製氷板１６,１６の間の上部に位置して、各製氷板１６の裏面に除氷水を散布する除氷水散水器２６と、外部水源に接続する給水管２５に介挿した給水弁ＷＶとから構成される。この除氷水供給手段２４は、除氷運転に給水弁ＷＶを開放することで、除氷水散水器２６から除氷水を各製氷板１６の裏面に供給し、また製氷運転時は給水弁ＷＶが閉じられて製氷部１５への除氷水の供給を停止する。
【０００６】
図１６に示す前記冷凍回路３０は、圧縮機ＣＭ、凝縮器ＣＤおよび減圧手段である膨張弁ＥＶと、前記両製氷板１６,１６の間に密着配置した蒸発器ＥＰとからなり、前記圧縮機ＣＭ、凝縮器ＣＤ、膨張弁ＥＶおよび蒸発器ＥＰの順に冷媒配管(冷媒循環管路)３１で連通接続して冷媒を配管中に循環させるようになっている。また冷凍回路３０は、圧縮機ＣＭから蒸発器ＥＰに冷媒を直接導くバイパス管３２と、このバイパス管３２に介挿されたホットガス弁ＨＶとからなるバイパス回路を備えている。そして冷凍回路３０は、製氷運転に入ると、ホットガス弁ＨＶを閉じると共にファンＦＭを駆動して凝縮器ＣＤを冷却しながら圧縮機ＣＭを駆動する。また、膨張手段ＥＶを開放して冷媒を断熱膨張させることで、蒸発器ＥＰにより各製氷板１６を氷点下に冷却し、上方から供給される製氷水を製氷面に凍結させて氷塊１７を形成する。なお冷凍回路３０は、除氷運転に入ると、圧縮機ＣＭを駆動したままファンＦＭを停止してホットガス弁ＨＶを開放することで、蒸発器ＥＰに供給されるホットガスにより製氷板１６を加熱して除氷を促進する。
【０００７】
前述した流下式製氷機の製氷運転に際しては、製氷水タンク１８の製氷水を製氷水ポンプＰＭにより圧送して製氷水散水器２２へ供給し、該製氷水散水器２２から各製氷部１５における製氷板１６,１６の製氷面に流下供給させる。供給された製氷水の一部は製氷板１６,１６の製氷面に凍結して氷塊１７に成長し、氷結しなかった製氷水(未氷結水)は製氷板１６,１６を流れて落下し、前記氷案内部２８のスリット２８ａを介して製氷水タンク１８に回収されて再び循環に供される。しかし落下した未氷結水は、前記氷案内部２８に衝突した際に一部が跳ね飛翔水として貯氷庫１２へ飛び込む。この貯氷庫１２へ飛び込んだ水(飛翔水)は、該貯氷庫１２に貯留された氷塊群を濡らして氷塊を相互に固結(再氷結)させ、氷のアーチングを生じるに至る。また、未氷結水は製氷過程で充分に冷却されているので、飛翔水となって循環経路から外れてしまうことは不経済であり、また省エネルギーに逆行するものである。更に除氷運転に際しては、前記給水管２５を経て前記除氷水散水器２２から供給される除氷水が、製氷板１６,１６の裏面を流下して加温することで、該製氷板１６,１６の製氷面に凍結している氷塊１７を融かし該氷塊１７の離脱を促進させる。前記製氷板１６,１６の裏面を流下した除氷水も落下して、前記氷案内部２８のスリット２８ａを経て製氷水タンク１８に回収される。しかし、落下した除氷水が氷案内部２８に衝突して一部が跳ねて飛翔し、飛翔水として貯氷庫１２へ飛び込むという不都合を生じることは、前記未氷結水の場合と同じである。
【０００８】
このため図４〜図７に示すように、右側の列の製氷部１５の下方でかつ製氷水タンク１８の斜め上方に、緩く傾斜するデフレクタ３４が設けてある。このデフレクタ３４は、除氷運転により前記左側の列の製氷部１５における製氷板１６,１６から落下する氷塊１７を受けて前記氷案内部２８へ偏向させると共に、該製氷板１６,１６から落下する未氷結水(製氷運転時)および除氷水(除氷運転時)を受けることで、図５に示す水カーテン３６を形成するものである。すなわち、前記デフレクタ３４に落下衝突した水(未氷結水、除氷水)は、該デフレクタ３４の横方向に沿って斜め下方へ流れることで、水膜状の前記水カーテン３６を形成する。この水カーテン３６の形成により、図４に示す左２列の製氷部１５,１５から落下して氷案内部２８で跳ねた飛翔水は、図５に示すように該水カーテン３６により捕捉され、前記氷案内部２８のスリット２８ａを介して製氷水タンク１８へ回収される。
【先行技術文献】
【特許文献】
【０００９】
【特許文献１】特開２０１０−２４９４９０号公報
【特許文献２】特開２０１６−６３７６号公報
【発明の概要】
【発明が解決しようとする課題】
【００１０】
(水カーテンを形成する際の課題)
この水カーテン３６により飛翔水を捕捉するには、図６に示す如く、該水カーテン３６がデフレクタ３４の横方向に沿って均一に形成されているのが、飛翔水の捕捉洩れがなく理想的である。しかし、前記デフレクタ３４の横方向に均一で安定した水カーテン３６が形成されるのは、落下する水(未氷結水、除氷水)の量が該デフレクタ３４の横方向へ均一になっている場合である。しかし、図７(ａ)に示すように、前記デフレクタ３４へ落下する水量が均一でないと、安定した水カーテン３６の形成が困難になることがある。例えば、デフレクタ３４へ落下する水の量が多い場合は、図７(ｂ)に示すように、その箇所に部分的に水が集中する結果として、水カーテン３６が横になびいてしまったり、図７(ｃ)に示すように、水が不規則に纏ってしまい該水カーテン３６に切れ目が生じたりすることがある。このように水カーテン３６が横方向へなびいたり、切れ目を生じたりすると、前述した飛翔水の部分的な捕捉洩れを生じてしまう。この飛翔水の捕捉洩れが発生すると、捕捉し損ねた飛翔水が貯氷庫１２へ飛び込んで、該貯氷庫において前述した氷塊１７の再氷結による氷のアーチングや、未氷結水の回収損失に繋がってしまう難点がある。
【００１１】
(デフレクタを設ける場合の課題)
図６や図１６で説明したデフレクタ３４は、製氷板１６,１６からの落下水(未氷結水、除氷水)を受けて水カーテン３６を形成し、これにより飛翔水を捕捉し得るので、貯氷庫１２における氷塊群の再氷結を防ぐと共に、未氷結水の有効回収ができて省エネルギーに資する利点を有している。しかし、その反面で、図１２に示す如く、前記氷案内部２８と前記デフレクタ３４との間の間隙Ｓ(落氷開口部という)はかなり狭いために、除氷運転時に製氷板１６,１６から氷塊１７が一度に多量に落下すると、図１３に示すように前記落氷開口部Ｓに引っ掛り詰まってしまうことがある。このように落氷開口部Ｓで氷塊１７が詰まると、貯氷庫１２への氷放出ができなくなってしまう。しかも、この状態が続くと、図１４に示すように、氷案内部２８上に氷塊１７が次第に堆積して多重製氷となり、製氷板１６,１６を破損したり、円滑な製氷・除氷運転を阻害するに到る恐れがある。
【課題を解決するための手段】
【００１２】
前記課題を解決し、所期の目的を達成するため請求項１に記載の発明は、
蒸発器を一対の製氷板で挟んでなる製氷部を複数列立設した製氷ユニットと、
前記製氷部の上方に配設され、各製氷板に供給した製氷水または除氷水を製氷面に流下させる散水部と、
前記製氷部の下方に配設され、前記製氷板から落下する未氷結の製氷水または除氷水を回収して貯留する製氷水タンクと、
前記製氷部の斜め下方に配設され、前記製氷板から落下する氷塊を回収する貯氷庫と、
前記製氷水タンクと前記製氷板の下方との間に配設され、該製氷板から落下する氷塊を前記貯氷庫へ案内すると共に、該製氷板から落下する水は該製氷水タンクへ落下させる氷案内部と、
前記製氷部の下方と前記氷案内部との間に配設され、前記製氷板から落下する氷塊を該氷案内部へ偏向させると共に、
該製氷板から落下する水を前記氷案内部へ流して水カーテンを形成するデフレクタとからなる流下式製氷機において、
前記デフレクタの部位で、かつ前記製氷板から落下する水が集中し易い領域に突出リブが形成されていることを要旨とする。
請求項１に係る発明によれば、各列の製氷部を構成する製氷板から落下する水(未氷結水、除氷水)がデフレクタ上の最も集中し易い部位に突出リブを形成することで、該デフレクタから流れる水を均一にすることができる。これにより、デフレクタに形成される水カーテンも均一で安定したものになり、飛翔水を捕捉し損ねることがない。
【００１３】
請求項２に記載の発明では、前記突出リブは、前記製氷板から落下する水が集中する経路の上流に位置すると共に、前記水が乗り越えられない高さに設定した分流リブであることを要旨とする。
【００１４】
請求項３に記載の発明では、前記突出リブは、前記製氷板から落下する水の流量が多い経路の上流に位置すると共に、前記水が乗り越え得る高さに設定した止水リブであることを要旨とする。
【００１５】
請求項４に記載の発明では、前記突出リブは、前記製氷板から落下する水が集中する経路の上流に位置すると共に、前記水が乗り越え得る高さに設定した案内リブであることを要旨とする。
【００１６】
前記別の課題を解決し、所期の目的を達成するため請求項５に記載の発明は、
蒸発器を一対の製氷板で挟んでなる製氷部を複数列立設した製氷ユニットと、
前記製氷部の上方に配設され、各製氷板に供給した製氷水または除氷水を製氷面に流下させる散水部と、
前記製氷部の下方に配設され、前記製氷板から落下する未氷結の製氷水または除氷水を回収して貯留する製氷水タンクと、
前記製氷部の斜め下方に配設され、前記製氷板から落下する氷塊を回収する貯氷庫と、
前記製氷水タンクと前記製氷板の下方との間に配設され、該製氷板から落下する氷塊を前記貯氷庫へ案内すると共に、該製氷板から落下する水は該製氷水タンクへ落下させる氷案内部と、
前記製氷水タンクの製氷水を製氷水ポンプにより前記散水部へ循環供給する水供給管とからなる流下式製氷機において、
前記水供給管から分岐されて前記氷案内部の斜め上方に水平に配設され、前記製氷水タンクからの製氷水を多数の通孔を介して噴出させて該氷案内部の上方に水カーテンを形成する分流パイプを設けたことを要旨とする。
請求項５に係る発明によれば、デフレクタの配設を廃止して、製氷運転中に製氷水タンクから水供給管を圧送される製氷水を分岐して、分流パイプにより水カーテンを形成することにしたものであるから、安定した水カーテンにより飛翔水を確実に捕捉することができる。
【００１７】
請求項６に記載の発明では、除氷運転中は、前記複数列の製氷部の内で前記分流パイプに最も近い側の列の製氷部への除氷水の供給を停止することを要旨とする。
【発明の効果】
【００１８】
デフレクタにより水カーテンを形成する構成の流下式製氷機によれば、デフレクタに落下する水の集中し易い部位に突出リブを形成したことにより、該デフレクタに形成される水カーテンが均一して安定したものになる。このため、製氷板から落下した水が氷案内部で跳ねた飛翔水は、水カーテンで有効に捕捉される。従って、飛翔水の飛び込みにより貯氷庫の氷塊群が再氷結することがない。
【００１９】
また、デフレクタを設けていない流下式製氷機については、製氷水タンクの製氷水が分岐供給される分流パイプを設けたことにより、該分流パイプで水カーテンを形成できるため、製氷板からの落下水が氷案内部で跳ねた飛翔水は該水カーテンで有効に捕捉される。しかも、製氷板からの氷落下経路にデフレクタは存在しないため、氷案内部に落下した氷は円滑に貯氷庫へ案内される。すなわち、製氷板と氷案内部との間で氷詰まりを生ずることがなく、多重製氷により製氷板を損傷する等の不都合がない。
【図面の簡単な説明】
【００２０】
【図１】本発明の実施例１に係るデフレクタの拡大斜視図である。
【図２】図１に示すデフレクタの変形例１の拡大斜視図である。
【図３】図１に示すデフレクタの変形例２の拡大斜視図である。
【図４】流下式製氷機の除氷運転中における製氷ユニットの断面図である。
【図５】図４に示す製氷ユニットの下方に配設されている氷案内部とデフレクタとの拡大断面図である。
【図６】図５に示すデフレクタに落下した水が該デフレクタに沿って斜め下方に流れ、均一な水カーテンを形成している状態を示す斜視図である。
【図７】(ａ)はデフレクタに落下する水が部分的に集中している状態を示す斜視図であり、(ｂ)は(ａ)の部分拡大図であって、水カーテンが横になびいている状態を示し、(ｃ)は(ａ)の部分拡大図であって、水カーテンに縦縞状の切れ目ができている状態を示している。
【図８】本発明の実施例２において、氷案内部と分流パイプとの配置状態を示す概略斜視図である。
【図９】図８に示す分流パイプと氷案内部との配置状態を、図８とは別の角度から観察した概略斜視図である。
【図１０】図９に示す分流パイプから氷案内部に向けて水カーテンが形成されている状態を示す概略斜視図である。
【図１１】図８に示す分流パイプを採用した流下式製氷機において、製氷運転中にある状態の断面図である。
【図１２】流下式製氷機における製氷ユニットの下方を拡大した断面図であって、氷案内部とデフレクタとの間隔(落氷開口部)が狭い状態を示している。
【図１３】流下式製氷機の除氷時に、図１２の構成では、製氷板から落下する氷塊が落氷開口部で詰まってしまう状態の説明図である。
【図１４】図１３の氷詰まりの状態が続くと、製氷ユニットで多重製氷を生じてしまうことを示す説明図である。
【図１５】(ａ)および(ｂ)は、除氷運転時に分流パイプから水カーテンが形成されなくても、飛翔水が貯氷庫へ飛び込むのを防止し得る理由を説明した流下式製氷機の断面図である。
【図１６】流下式製氷機の製氷ユニットと冷凍回路とを示す概略断面図であって、製氷ユニットは製氷運転中である。
【発明を実施するための形態】
【００２１】
図４〜図６を参照して説明したデフレクタ３４により水カーテン３６を形成する流下式製氷機１０では、該水カーテン３６が飛翔水を捕捉するために、該飛翔水が貯氷庫１２に飛び込んで氷塊群を再氷結させる不都合がない点で優れている。しかしながら、この流下式製氷機１０はデフレクタ３４を必須の構成とするために、図７で説明したように、製氷板１６,１６から落下する水がデフレクタに均一に落下せず、水が部分的に集中する部位を生じてしまうことがある。このときは、水カーテン３６が横になびいたり(図７(ｂ)参照)、水カーテン３６に縦縞状の切れ目ができてしまい(図７(ｃ)参照)、安定した水カーテン３６が形成されない。
【実施例１】
【００２２】
図１に示す実施例１の流下式製氷機１０は、前述したデフレクタ３４に落下した水の量を均一にさせることで、安定した水カーテン３６を形成するようにしたものである。例えば、図１６に示す製氷運転中の流下式製氷機１０では、製氷板１６,１６に散布された製氷水は該製氷板１６,１６を伝って落下する。しかし製氷板１６,１６の横方向における水の流れを観察すると、水の表面張力により各製氷板１６の左右縦方向に製氷水が引き寄せられる結果として、各製氷板１６の左側および右側から落下する水の量が中央付近よりも相対的に多くなる現象がみられる。このため、デフレクタ３４へ落下する水は、全体的に該デフレクタ３４の左側および右側に集中する傾向があり、このため図７(ｂ)に示すように水カーテン３６が横になびいたり、図７(ｃ)に示すように水カーテン３６に切れ目を生じたりしてしまう。
【００２３】
そこで実施例１に係る本発明では、図１に示すように、前記デフレクタ３４の部位であって、前記製氷板１６,１６から落下する水(未氷結水、除氷水)が集中し易い領域に突出リブ４０が形成されている。この突出リブにより、製氷板１６,１６からデフレクタ３４への落下水に集中した部位があっても、前記落下水は全体として安定した流れが該デフレクタ３４に確保される。この結果として、デフレクタ３４から流れる水は均一になって、安定した水カーテン３６が形成される。より具体的には、図１に示すように、デフレクタ３４における左側近傍または右側近傍であって、製氷板１６,１６から落下する水が集中し易い領域には、前記突出リブとして分流リブ４０ａが形成されている。この分流リブ４０ａの高さ寸法は、落下した水が乗り越えられない程度の高さ(例えば１．５ｍｍ)に設定するのが好ましい。
【００２４】
(変形例１)
図２は、実施例１に係る突出リブ４０の変形例１を示すもので、前記製氷板１６,１６から落下する水の流量が多い経路の上流に位置すると共に、前記水が乗り越え得る高さ(例えば１．０ｍｍ)に設定した止水リブ４０ｂが設けられている。
【００２５】
(変形例２)
図３は、実施例１に係る突出リブ４０の変形例２を示すもので、前記製氷板１６,１６から落下する水が集中する経路の上流に位置すると共に、前記水が乗り越え得る高さ(例えば１．０ｍｍ)に設定した案内リブ４０ｃが設けられている。
【００２６】
前記実施例１、変形例１および変形例２の何れにおいても、突出リブ４０(４０ａ,４０ｂ,４０ｃ)をデフレクタ３４の何処に形成するかは、開発研究の過程で実際に試作を重ねて最良の部位を突き止めたものである。すなわち、突出リブ４０を配設する数や、デフレクタ３４を何れの個所に設けるかは水カーテン３６を形成する上で重要であり、実施例１(および変形例１、変形例２)では最大公約数的に最も良好なデフレクタ上の個所を特定している。
【実施例２】
【００２７】
図４や図１６に示した流下式製氷機１０は、デフレクタ３４を必須の構造とするものであった。しかし、前記デフレクタ３４を設けることにより、前記課題の個所で述べた如く、氷案内部２８と該デフレクタ３４との間の落氷開口部Ｓの開口寸法が狭くなり、製氷板１６,１６から落下した氷が該落氷開口部Ｓに詰まってしまう。このため多重製氷を来して、前記製氷板１６,１６を損傷する恐れがあることは、図１２〜図１４を参照して説明した通りである。そこで本発明の実施例２に係る流下式製氷機１０では、図１１に示すように、前記デフレクタ３４の配設に代えて、分流パイプ４２を設けるようにしたものである。すなわち、図１１に示す流下式製氷機１０では、デフレクタ３４の配設を廃止したので、製氷板１６,１６から落下した氷塊１７が貯氷庫１２へ案内される経路に前記落氷開口部Ｓが存在しなくなり、この部位で氷詰りを生ずることがなく、多重製氷に発展することもない。
【００２８】
しかし、前記デフレクタ３４を廃止したことにより、前述した飛翔水を捕捉する水カーテン３６も形成されないことになる。このままでは、前記製氷水が跳ねて形成される飛翔水は貯氷庫１２へ飛び込んで、庫内の氷塊群を再氷結させる不都合を生ずる。このため実施例２では、図８に示すように分流パイプ４２を設けて、該分流パイプ４２により水カーテン３６を形成して、前記飛翔水を該水カーテン３６により捕捉するようにしたものである。すなわち、製氷水タンク１８からの製氷水を製氷水ポンプＰＭで製氷水散水器２２へ循環供給する水供給管２１に関して、図８に示す如く、該水供給管２１から分岐させた分流パイプ４２が、前記氷案内部２８の斜め上方に水平に位置させてある。この分流パイプ４２の横方向に沿った部位には、図９に示すように、氷案内部２８へ指向して多数の通孔４２ａ(横長のスリット状通孔とするのが好ましい)が開設してある。
【００２９】
このため、前記水供給管２１を圧送されて分岐した製氷水の一部は、前記通孔４２ａから分流パイプ４２の横方向に沿って噴出し、図１０に示すように、該氷案内部２８に向け斜め下方へ弧状に流れる水カーテン３６が形成される。従って、製氷運転中に前記製氷板１６,１６から落下する製氷水が氷案内部２８で跳ねた飛翔水は、前記水カーテンにより確実に捕捉される。また、水カーテン３６は分流パイプ４２により形成されるので、製氷運転中は常に安定した水カーテン３６が形成される。従って、飛翔水を水カーテン３６が捕捉し損ねることもない。
【００３０】
ところで実施例２の流下式製氷機１０では、製氷運転中に分流パイプ４２へ分岐した製氷水により水カーテン３６を形成するものである。しかるに除氷運転時は、製氷水ポンプＰＭを停止するため製氷水の循環供給はなされず、従って前記分流パイプ４２により水カーテン３６を形成することができない。この除氷運転中は、前述したように外部水道水である除氷水が除氷水散水器２６から各製氷部１５における製氷板１６,１６へ供給される。このため、製氷板１６,１６から落下した除氷水は氷案内部２８で跳ねて飛翔水となり、貯氷庫１２へ飛び込んで氷塊群を再氷結させることになる。殊に、実施例２では前記デフレクタ３４が配設されていないため、飛翔水が貯氷庫１２へ容易に飛び込み易くなっている。
【００３１】
そこで実施例２では、製氷板１６,１６からなる複数列の製氷部１５の内で、前記分流パイプ４２に最も近い側の製氷板１６,１６については、除氷運転中に除氷水の供給を停止することで水カーテンの必要性をなくした。すなわち、図１５(ａ)に示す流下式製氷機１０において、製氷板１６,１６からなる３列の製氷部１５に除氷水を供給すると、分流パイプ４２に近接する右側列の製氷部１５を伝った除氷水による飛翔水は、これを遮る水カーテン３６が存在しないために、容易に貯氷庫１２へ飛び込んでしまう。しかし、図１６において３列の製氷部１５に配設される前記蒸発器ＥＰは、冷凍回路３０からのホットガスの入口側が右側列の製氷部１５の上側になり、またホットガスの出口側が左側列の製氷部１５の下側になっている。このため、製氷運転から除氷運転に切り換わると、図１６においてホットガス弁ＨＶが開放し、ホットガスが右側列の製氷部１５の上側に位置する蒸発器ＥＰの入口から流入し、各列の製氷部１５を加温しつつ流過して、左側列の製氷部１５の下側に位置する蒸発器ＥＰの出口から流出する。蒸発器ＥＰを流れる前記ホットガスは、入口側では充分に高温であるから左側列の製氷板１６,１６への除氷水の供給は不要である。
【００３２】
すなわち図１５(ｂ)に示すように、右側列の製氷部１５における製氷板１６,１６への除氷水の供給は停止しても差し支えない。このため、除氷運転中に右側列の製氷板１６,１６からの除氷水の落下はないので、これによる飛翔水もなくなり、水カーテンが形成されなくても問題はない。なお、真中の列および左側列の製氷部１５では、蒸発器ＥＰを流れるホットガスの熱エネルギーは徐々に低下するので、除氷のための加温の補助として各列の製氷部１５への除氷水の供給は行われる。
【符号の説明】
【００３３】
１２  貯氷庫，１４  製氷ユニット，１５  製氷部，１６  製氷板，１７  氷塊，
１８  製氷水タンク，２０  散水部，２１  水供給管，２８  氷案内部，
３４  デフレクタ，３６  水カーテン，４０  突出リブ，４０ａ  分流リブ，
４０ｂ  止水リブ，４０ｃ  案内リブ，４２  分流パイプ，４２ａ  通孔，
ＥＰ  蒸発器，ＰＭ  製氷水ポンプ
【図１】
2020012571.tif 000003
【図２】
2020012571.tif 000004
【図３】
2020012571.tif 000005
【図４】
2020012571.tif 000006
【図５】
2020012571.tif 000007
【図６】
2020012571.tif 000008
【図７】
2020012571.tif 000009
【図８】
2020012571.tif 000010
【図９】
2020012571.tif 000011
【図１０】
2020012571.tif 000012
【図１１】
2020012571.tif 000013
【図１２】
2020012571.tif 000014
【図１３】
2020012571.tif 000015
【図１４】
2020012571.tif 000016
【図１５】
2020012571.tif 000017
【図１６】
2020012571.tif 000018